(57)【要約】【課題】    書類をしっかりと保持する為に強いバネが用いられた保持部を軽い操作力で開く為には比較的長く伸ばされた操作部が必要であるので、操作部が取り外し可能に設けられることが望まれる。また、書類をしっかりと保持する為に強いバネが用いられた保持部を開く際に操作部が外れるようなトラブルを避けなければならない。【解決手段】  操作部が不要な状態で取り外すようにする。【選択図】          図１
2008110578.tif 000002
【特許請求の範囲】
【請求項１】
節部と、
前記節部の両端からそれぞれ伸びる第１挟持部及び第２挟持部と、
前記第１挟持部の先端付近に設けられる中心軸線と、
前記中心軸線を中心として前記第１挟持部に設けられる第１軸穴及び第２軸穴と、
対向する前記第１軸穴及び前記第２軸穴それぞれの第１一端及び第２一端と、
前記第１一端及び前記第２一端の少なくとも一方に、前記第１一端及び前記第２一端の間隔が一部広がるように前記第１挟持部の先端方向に設けられる切り欠きと、
を備える保持部と、
前記第１軸穴及び前記第２軸穴に同時にそれぞれ挿入可能な第１軸部及び第２軸部と、
対向する前記第１軸部及び前記第２軸部それぞれの第３一端及び第４一端と、
前記第３一端及び前記第４一端に接続される第１指掛部と、
を備える第１操作部と、
前記第２挟持部に接続され第２指掛部を備える第２操作部と、
前記第１挟持部及び前記第２挟持部が互いに近づく方向に付勢する、前記保持部自身が有する弾力、又は第１付勢部材と、
前記第３一端及び前記第４一端が互いに遠ざかる方向に付勢する、前記第１指掛部自身が有する弾力、又は第２付勢部材と、
から構成される挟持具であり、
前記第１操作部は前記中心軸線を中心に前記保持部に対して回転させると前記第１挟持部に略中央部が当たる形状であり、
前記第１挟持部に前記略中央部を当てた状態で前記第１指掛部の先端及び前記第２指掛部の先端が互いに近づく方向に前記第１操作部及び前記第２操作部を操作することで、前記第１挟持部及び前記第２挟持部が互いに遠ざかる構造であり、
前記第３一端及び前記第４一端を互いに近づけることで前記切り欠きから前記第１操作部を取り外し可能である、
挟持具。
【請求項２】
前記切り欠きが設けられた前記軸穴の他端に蓋が設けられる、
請求項１に記載の挟持具。
【発明の詳細な説明】
【技術分野】
【０００１】
本発明は、挟持具に関する。
【背景技術】
【０００２】
挟持具においては、特許文献１のように指掛部を有する操作部を取り外し可能に備えるというアイデアがある。
また、特許文献２及び特許文献３のように、操作部が不要な際は邪魔になりにくいように収納可能なアイデアがある。
【０００３】
【特許文献１】実登３０９３４８８号公報
【特許文献２】特開平０７−０３２７８３号公報
【特許文献３】特開平０７−２１４９６３号公報
【０００４】
また、はじめから操作部が無く保持部のみであり、専用の挿入工具を用いて保持部を開いてから書類の縁を保持部に挿入し、書類がバラバラにならないように挟持する挟持具がよく知られている。
【発明の開示】
【発明が解決しようとする課題】
【０００５】
挟持具においては、書類の縁に留めた状態で書類をめくる際に、これを妨げないことが好ましく、また書類の縁に留める際や外す際は専用工具を用いず簡便にこれを行うことが出来ることが望まれる。
【０００６】
また、書類をしっかりと保持する為に強いバネが用いられた保持部を軽い操作力で開く為には比較的長く伸ばされた操作部が必要であるので、操作部が取り外し可能に設けられることが望まれる。
【０００７】
また、書類をしっかりと保持する為に強いバネが用いられた保持部を開く際に操作部が外れるようなトラブルを避けなければならない。
【課題を解決するための手段】
【０００８】
本発明の実施形態図等を用いて以下に説明するが、これは本発明の内容をより把握しやすいようにする為で、添付の特許請求の範囲を縮小するものではない。
【０００９】
発明１に係る挟持具は、例えば図１から図４のように、
節部１０と、
節部１０の両端からそれぞれ伸びる挟持部１及び挟持部２と、
挟持部１の先端付近に設けられる中心軸線１１と、
中心軸線１１を中心として挟持部１に設けられる軸穴３及び軸穴４と、
対向する軸穴３及び軸穴４それぞれの一端１３及び一端１４と、
一端１３及び一端１４の少なくとも一方に、一端１３及び一端１４の間隔が一部広がるように挟持部１の先端方向に設けられる切り欠き１６と、
を備える保持部１９と、
軸穴３及び軸穴４に同時にそれぞれ挿入可能な軸部２１及び軸部２２と、
対向する軸部２１及び軸部２２それぞれの一端２３及び一端２４と、
一端２３及び一端２４に接続される指掛部２０と、
を備える操作部２５と、
挟持部２に接続され指掛部３３を備える操作部３１と、
挟持部１及び挟持部２が互いに近づく方向に付勢する、保持部１９自身が有する弾力、又は第１付勢部材と、
一端２３及び一端２４が互いに遠ざかる方向に付勢する、指掛部２０自身が有する弾力、又は第２付勢部材と、
から構成される挟持具であり、
操作部２５は中心軸線１１を中心に保持部１９に対して回転させると挟持部１に略中央部が当たる形状であり、
挟持部１に前記略中央部を当てた状態で指掛部２０の先端２６及び指掛部３３の先端３２が互いに近づく方向に操作部２５及び操作部３１を操作することで、挟持部１及び挟持部２が互いに遠ざかる構造であり、
一端２３及び一端２４を互いに近づけることで切り欠き１６から操作部２５を取り外し可能である、
挟持具である。
【００１０】
発明２に係る挟持具は、発明１の挟持具において、例えば図１のように、
切り欠き１６が設けられた軸穴３の他端に蓋１８が設けられる、
挟持具である。
【発明の効果】
【００１１】
以上のように本発明では、切り欠き１６を挟持部１の先端方向に設けたので、書類の縁に挟持具を留める際や外す際に軸部２１及び軸部２２に大きな力が加わって操作部２５が外れるようなトラブルが発生しにくいようにしながら、操作部２５が不要な際は簡単に取り外すことが出来る。
【００１２】
さらに発明２によると、蓋１８に軸部２１の他端２９を当てるような設計が可能となるので、操作部２５の中心軸線１１方向のガタを効果的に抑えることが出来る。
【発明を実施するための最良の形態】
【００１３】
〔第１実施形態〕
図１から図４において、節部１０、挟持部１及び挟持部２は一体成型された弾性を有する例えば金属製の板である。節部１０で曲がりやすいことで挟持部１及び挟持部２は開くことが可能であるが、節部１０にピボットを設けてバネ等の付勢部材で挟持部１及び挟持部２が閉じるように付勢するような構造でもよい。
【００１４】
また、図１のように挟持部１の先端付近には一体成型の筒形状によって軸穴３及び軸穴４が設けられており、軸穴３の一端１３には切り欠き１６が設けられており、他端には蓋１８が設けられている。また、対向する軸穴３の一端１３及び軸穴４の一端１４の間には、ガイド形状１５が挟持部１と一体に設けられている。
【００１５】
また、図２のように、操作部２５は指掛部２０、指掛部２７、指掛部２８、軸部２１、及び軸部２２が一体成型された弾性を有する例えば金属製の丸棒である。指掛部２７及び指掛部２８をつまむと、指掛部２０の先端２６付近で曲がりやすいことで軸部２１の他端２９及び軸部２２の他端３０を近づけることが可能である。また、軸部２１及び軸部２２の間にバネ等の付勢部材を設けて、直接軸部２１又は軸部２２を中心軸線に沿ってスライドさせるような構造でもよい。
【００１６】
また、図３のように挟持部１の軸穴４にまず軸部２２を挿入し、次に他端２９を他端３０に近づけながら切り欠き１６から軸穴３に挿入することで保持部１９及び操作部２５の組み立ては完了する。このとき、他端２９は蓋１８に当たっているので、中心軸線１１方向に操作部２５がガタつくのを防ぐことが出来る。
また、操作部２５と同様な操作部３１が、挟持部１から切り欠き１６と蓋１８を無くしたような構造の挟持部２に設置されている。
【００１７】
また、図４のように操作部２５を中心軸線１１中心に回転させて挟持部１に当て、操作部３１を中心軸線１２中心に回転させて挟持部２に当てた状態では、切り欠き１６があっても軸部２１に十分な掛りしろが確保されるので、操作部２５が外れるようなトラブルを防ぐことが出来る。また、ガイド形状１５が設けられていれば、一端１３及びガイド形状１５の間と、一端１４及びガイド形状１５の間に操作部２５が案内されるので、さらに信頼性が上がる。
【図面の簡単な説明】
【００１８】
【図１】第１実施形態の挟持具の保持部１９を第三角法で表す図
【図２】第１実施形態の挟持具の操作部２５を第三角法で表す図
【図３】第１実施形態の挟持具の第１状態を第三角法で表す図
【図４】第１実施形態の挟持具の第２状態を第三角法で表す図
【符号の説明】
【００１９】
１,２                                                挟持部
３,４,５,６                                          軸穴
１０                                                 節部
１１,１２                                          中心軸線
１３,１４,２３,２４                            一端
１５,１７                                          ガイド形状
１６                                                 切り欠き
１８                                                 蓋
１９                                                 保持部
２０,２７,２８,３３                            指掛部
２１,２２                                          軸部
２５,３１                                          操作部
２６,３２                                          先端
２９,３０                                          他端
【図１】
2008110578.tif 000003
【図２】
2008110578.tif 000004
【図３】
2008110578.tif 000005
【図４】
2008110578.tif 000006